(57)【要約】【課題】  薄型に設計することができるＬＥＤサインパネルにおいて、放熱効果が高く、防水効果の高いＬＥＤサインパネルを得る。【解決手段】  一側方より入射したＬＥＤ光源の光を対向する他側方へ導く導光板と、導光板の背面部に配され、ＬＥＤ光源の側方からの光を前面方向に反射する反射手段と、反射手段の反射光によって照明される導光板の前面の広告表示領域とを備えたＬＥＤサインパネルにおいて、広告表示領域外の導光板の背面の広告表示領域の投映面外領域に形成された凹溝部と、この凹溝部に挿入される挿入部と凹溝部を覆って導光板の背面に当接する当接面部とを備えたヒートシンク部と、このヒートシンク部の挿入部に並設された複数のＬＥＤ光源と、当接面部と導光板の背面との間隙を封止する封止手段とを備え、ヒートシンク部の当接面部が、広告表示領域の投映面を覆うように形成されているもの。【選択図】      図１
2015032461.tif 000002
【特許請求の範囲】
【請求項１】
一側方より入射したＬＥＤ光源の光を対向する他側方へ導く導光板と、
前記導光板の背面部に配され、ＬＥＤ光源の側方からの光を前面方向に反射する反射手段と、
前記反射手段の反射光によって照明される前記導光板の前面の広告表示領域と、
を備えたＬＥＤサインパネルにおいて、
前記広告表示領域外の前記導光板の背面の前記広告表示領域の投映面外領域に形成された凹溝部と、
この凹溝部に挿入される挿入部と前記凹溝部を覆って導光板の背面に当接する当接面部とを備えたヒートシンク部と、
このヒートシンク部の挿入部に並設された複数のＬＥＤ光源と、
前記当接面部と導光板の背面との間隙を封止する封止手段とを備え、
前記ヒートシンク部の当接面部が、前記広告表示領域の投映面を覆うように形成されていることを特徴とするＬＥＤサインパネル。
【請求項２】
前記ヒートシンク部の当接面部が、前記反射手段を介して広告表示領域の投映面を覆うように形成されていることを特徴とする請求項１に記載のＬＥＤサインパネル。
【請求項３】
前記凹溝部が、前記広告表示領域の投映面を挟んで互いに対向するように前記導光板の背面の対向位置に形成され、
前記ヒートシンク部が、前記対向して形成された凹溝部の各々に挿入される一対の挿入部と、これら一対の挿入部に連結して配される連結当接面部とを含み、
前記連結当接面部の導光板側に前記反射手段が形成されていることを特徴とする請求項１又は２に記載のＬＥＤサインパネル。
【請求項４】
前記封止手段が、前記ヒートシンク部の当接面部の周縁部を覆って導光板の背面に貼着される粘着テープであることを特徴とする請求項１〜３の何れか１項に記載のＬＥＤサインパネル。
【請求項５】
前記封止手段が、前記ヒートシンク部の当接面部の周縁部を覆って導光板の背面に封止される封止樹脂層であることを特徴とする請求項１〜３の何れか１項にＬＥＤサインパネル。
【発明の詳細な説明】
【技術分野】
【０００１】
本発明は、例えば板周囲に配したＬＥＤの光を導光板と反射板とで前面方向に放射し、前面部に配した広告サインを背面側から照明するＬＥＤサインパネルに関するものである。
【背景技術】
【０００２】
従来、写真フイルム等の透光性の広告デザインに対して、パネルのエッジ部分に収装したＬＥＤ光源に基づき照射を行うことにより、広告デザインをはっきりと浮き立たせるようなＬＥＤサインパネルが提案されている（例えば、特許文献１参照）。
【０００３】
具体的には、矩形状を呈する透明資材製パネル基板の外周縁寄りやや内輪の位置に形成された凹溝にＬＥＤ群を嵌め込み、ＬＥＤ群の発する光が透明資材製パネル基板の四周縁まで透過することができるようにＬＥＤ群の嵌め込み部分に光伝達のための透明資材部分を設け、パネル基板１の背面側に凹溝全体を覆うことができる程度の大きさを具えた反射板を張設し、反射板の正面方向に反射光を乱反射させる構成である。
【０００４】
ＬＥＤは消費電力が小さく、熱の発生も少ない照明器具であるが、多数を同時に通電し、尚且つ、長時間通電すると相応の熱が発生する。このため、このような構成のＬＥＤサインパネルにおいては、放熱対策が重要であった。特許文献１のＬＥＤサインパネルでは、ＬＥＤ群の取付け手段として、放熱用平板部の端部にＬＥＤ群装着用折曲板部を直角に折り曲げ形成したヒートシンクを用いている。
【０００５】
図５は従来のＬＥＤサインパネルの構成を説明する説明図であり、ａ図は正面図、ｂ図は構成を個別に配置した状態の底面図、ｃ図は要部の断面構成を示す説明図である。図５に示す通り、放熱板（ヒートシンク）５８は、折曲板部５８ｂをパネル板５１に形成された凹溝５２内に突入させた状態で反射板５５の背面に固定される。放熱板５８の折曲板部にはＬＥＤ群５４を密着させて装着する。
【先行技術文献】
【特許文献】
【０００６】
【特許文献１】特開２０１１−９５４３９号公報
【発明の概要】
【発明が解決しようとする課題】
【０００７】
しかしながら、夜間に継続して使用するに際しては、更なる熱対策を講じる必要があった。また、ＬＥＤサインパネルを屋外で使用するために、ＬＥＤサインパネル自体に防水処理を施した場合には、防水処理自体が放熱効果を減じることとなるため、効率のよい熱対策を講じる必要があった。
【０００８】
本発明は、薄型に設計することができるＬＥＤサインパネルにおいて、放熱効果が高く、防水効果の高いＬＥＤサインパネルを得ることを目的とする。
【課題を解決するための手段】
【０００９】
請求項１に記載された発明に係るＬＥＤサインパネルは、一側方より入射したＬＥＤ光源の光を対向する他側方へ導く導光板と、
前記導光板の背面部に配され、ＬＥＤ光源の側方からの光を前面方向に反射する反射手段と、
前記反射手段の反射光によって照明される前記導光板の前面の広告表示領域と、
を備えたＬＥＤサインパネルにおいて、
前記広告表示領域外の前記導光板の背面の前記広告表示領域の投映面外領域に形成された凹溝部と、
この凹溝部に挿入される挿入部と前記凹溝部を覆って導光板の背面に当接する当接面部とを備えたヒートシンク部と、
このヒートシンク部の挿入部に並設された複数のＬＥＤ光源と、
前記当接面部と導光板の背面との間隙を封止する封止手段とを備え、
前記ヒートシンク部の当接面部が、前記広告表示領域の投映面を覆うように形成されていることを特徴とするものであるものである。
【００１０】
請求項２に記載された発明に係るＬＥＤサインパネルは、請求項１に記載のヒートシンク部の当接面部が、前記反射手段を介して広告表示領域の投映面を覆うように形成されていることを特徴とするものである。
【００１１】
請求項３に記載された発明に係るＬＥＤサインパネルは、請求項１又は２に記載の凹溝部が、前記広告表示領域の投映面を挟んで互いに対向するように前記導光板の背面の対向位置に形成され、
前記ヒートシンク部が、前記対向して形成された凹溝部の各々に挿入される一対の挿入部と、これら一対の挿入部に連結して配される連結当接面部とを含み、
前記連結当接面部の導光板側に前記反射手段が形成されていることを特徴とするものである。
【００１２】
請求項４に記載された発明に係るＬＥＤサインパネルは、請求項１〜３の何れか１項に記載の封止手段が、前記ヒートシンク部の当接面部の周縁部を覆って導光板の背面に貼着される粘着テープであることを特徴とするものである。
【００１３】
請求項５に記載された発明に係るＬＥＤサインパネルは、請求項１〜３の何れか１項に記載の封止手段が、前記ヒートシンク部の当接面部の周縁部を覆って導光板の背面に貼着される粘着テープであることを特徴とするものである。
【発明の効果】
【００１４】
本発明は、薄型に設計することができるＬＥＤサインパネルにおいて、放熱効果が高く、防水効果の高いＬＥＤサインパネルを得ることができるという効果がある。また、反射手段としての機能とヒートシンク機能とを一体構造とすることにより、パネルの構成点数を少なくすることができ、組み立て等が容易となる効果もある。
【図面の簡単な説明】
【００１５】
【図１】本発明のＬＥＤサインパネルの一実施例の構成を説明する説明図であり、ａ図は正面図、ｂ図は構成を個別に配置した状態の底面図、ｃ図は要部の断面構成を示す説明図である。
【図２】ＬＥＤ光源の構成を示した説明図であり、ａ図は平面図、ｂ図は正面図である。
【図３】本発明のＬＥＤサインパネルの別の実施例の構成を説明する説明図であり、ａ図は正面図、ｂ図は構成を個別に配置した状態の底面図、ｃ図は要部の断面構成を示す説明図である。
【図４】本発明のＬＥＤサインパネルの更に別の実施例の構成を説明する説明図であり、ａ図は正面図、ｂ図は構成を個別に配置した状態の底面図、ｃ図は要部の断面構成を示す説明図である。
【図５】従来のＬＥＤサインパネルの構成を説明する説明図であり、ａ図は正面図、ｂ図は構成を個別に配置した状態の底面図、ｃ図は要部の断面構成を示す説明図である。
【発明を実施するための形態】
【００１６】
本発明においては、一側方より入射したＬＥＤ光源の光を対向する他側方へ導く導光板と、前記導光板の背面部に配され、ＬＥＤ光源の側方からの光を前面方向に反射する反射手段と、前記反射手段の反射光によって照明される前記導光板の前面の広告表示領域と、を備えたＬＥＤサインパネルにおいて、
前記広告表示領域外の前記導光板の背面の前記広告表示領域の投映面外領域に形成された凹溝部と、この凹溝部に挿入される挿入部と前記凹溝部を覆って導光板の背面に当接する当接面部とを備えたヒートシンク部と、このヒートシンク部の挿入部に並設された複数のＬＥＤ光源と、前記当接面部と導光板の背面との間隙を封止する封止手段とを備え、
前記ヒートシンク部の当接面部が、前記広告表示領域の投映面を覆うように形成されているため、薄型に設計することができるＬＥＤサインパネルにおいて、放熱効果が高く、防水効果の高いＬＥＤサインパネルを得ることができる。
【００１７】
即ち、ヒートシンク部の当接面部が、前記広告表示領域を覆うように構成されることにより、導光板の背面側に大きな放熱板を備えるため、放熱効果が高いＬＥＤサインパネルを得ることができる。また、当接面部と導光板の背面との間隙を封止する封止手段を備えることにより、前面側は面一の表示領域であり、水分に影響される電気系統が露出される背面側のみの防水処理によって、防水効果の高いパネルを実現することができる。
【００１８】
本発明の導光板としては、一側方より入射したＬＥＤ光源の光を対向する他側方へ導くものであればよい。例えば、透明なガラス材や、アクリル樹脂、ポリカーボネイト樹脂等のような透明な合成樹脂材によって形成されればよい。
【００１９】
本発明の凹溝部としては、広告表示領域外の導光板の背面の広告表示領域の投映面外領域に形成されるものであればよい。凹溝部が背面に形成され、広告表示領域を含む表面側には、凹溝部や電気系統の配線等が現れないため、表面側の防水効果が高くなる。特に、屋外で使用する場合、例えば自動販売機の広告表示に応用した場合には、背面側を自動販売機の内部に露出させて設置することにより、高い防水効果を得ることができる。
【００２０】
この凹溝部としては、ＬＥＤ光源が配され、一側方より入射したＬＥＤ光源の光を対向する他側方へ導くように配されればよいため、並設された複数のＬＥＤ光源を少なくとも１箇所備えればよい。しかしながら、広告表示領域全体を均等に発光させるためには、好ましくは広告表示領域を中心として両側部に対象に配する。また、凹溝部は直線状又は曲線状に形成されてもよく、同一直線又は曲線上に破線状に疎らに配されてもよい。
【００２１】
また、広告表示領域を照明するために、一組の凹溝部を挟んで互いに対向するように配されてもよい。具体的には、矩形状の広告表示領域を備えた導光板においては、対向する一組又は二組の凹溝部の各々に対向して設け、各々１つ以上の凹溝にＬＥＤ光源を配置してもよい。
【００２２】
本発明のＬＥＤ光源としては、ヒートシンク部の挿入部に複数のＬＥＤを並設されたものであって、挿入部と共に導光板の背面に形成された凹溝部に挿入されるものであればよい。例えば、複数のＬＥＤを帯状の基板に上に並べて直列又は並列接続した状態で構成される。また、ＬＥＤ群の挿入部への取付けは、ＬＥＤ群の発光面が導光板の一側方から他側方へ向かうように取付けられればよい。
【００２３】
また、用いるＬＥＤ光源の色については、自然光に近い、白色ＬＥＤ、電球色ＬＥＤを単独又は組み合わせて用いることは当然のことながら、使用される状況に応じて、赤色ＬＥＤ、緑色ＬＥＤ、青色ＬＥＤの三原色を単独又は組み合わせてＬＥＤ群に配して用いてもよい。また、光の明るさや色温度を少なくとも２段階で変更するように構成してもよい。例えば、深夜等の弱い光でも認識が容易な状況では、間引いて発光させたり、白色ＬＥＤと電球色ＬＥＤとの両者を配しておき、深夜では電球色ＬＥＤのみを発光させたりすることも可能である。
【００２４】
本発明の反射手段としては、導光板の背面部に配され、ＬＥＤ光源の側方からの光を前面方向に反射するものであり、広告表示領域の投映面を背面側から覆うように配される。反射手段は、高い反射を行うように平滑な高輝度の反射層を形成させてもよいし、鏡面状又は高輝度で反射する白色のシール材を貼着して構成してもよい。
【００２５】
本発明のヒートシンク部としては、凹溝部に挿入される挿入部と前記凹溝部の対向する両縁部を覆って導光板の背面に当接する当接面部とを備えたものであり、複数のＬＥＤから発せられる熱をＬＥＤを載置する挿入部からＬ字状に曲折された当接面部からパネル外に逃がされる。本発明では、ヒートシンク部の当接面部が、前記広告表示領域を覆うように構成されることにより、放熱効果を高めることができる。
【００２６】
本発明の広告表示領域としては、反射手段の反射光によって照明される領域であり、その領域に配された写真、絵画、文章等の広告サインを背面から光らせる。これら写真、絵画、文章等の広告サインは直接描写させてもよいが、フィルム加工し、このフィルムを広告表示領域に貼着することにより、容易に変更することが可能となる。尚、透明な部材で押さえてもよいが、屋外で使用する際には薄いがその間隙に進入するため、好適ではない。
【００２７】
本発明の好ましい態様としては、ヒートシンク部の当接面部が、反射手段を介して広告表示領域の投映面を覆うように形成され、ヒートシンク部の当接面部を反射板として一体化する。これにより、パネル構造の構成点数が減少し、パネルの組み立てが容易となる。ヒートシンク部の当接面部の広告表示領域側を反射板として、反射板とヒートシンクとを一体構造とすることにより、放熱効果が高いＬＥＤサインパネルを得ることができる。金属板に細かい溝を網目状に縦横に刻設するように反射層を形成してもよいし、側方からの光を乱反射させるフィルムをヒートシンク部の当接面に貼着して構成してもよい。
【００２８】
更に本発明の好ましい態様としては、凹溝部が広告表示領域を跨ぐように導光板の背面に対向して形成され、ヒートシンク部が前記対向して形成された凹溝部の各々に挿入される一対の挿入部と、これら一対の挿入部に連結して配される連結当接面部とを含み、前記連結当接面部の導光板側が反射板であるため、薄型に設計することができるＬＥＤサインパネルにおいて、放熱効果が高く、防水効果の高いＬＥＤサインパネルを得ることができる。
【００２９】
本発明の封止手段としては、当接面部と導光板の背面との間隙を封止するものであればよく、好ましい態様としては、封止手段がヒートシンク部の当接面部の周縁部を覆って導光板の背面に貼着される両面テープ等の粘着テープであるものであれば、粘着テープによって良好に水の浸入が阻止される。別の好ましい態様としては、封止手段がヒートシンク部の当接面部の周縁部を覆って導光板の背面に封止される接着剤を含む封止樹脂層であるものであれば、封止樹脂装置によって良好に水の浸入が阻止される。その他にも、水密パッキンを施すことで防水とすることも可能である。
【実施例】
【００３０】
図１は本発明のＬＥＤサインパネルの一実施例の構成を説明する説明図であり、ａ図は正面図、ｂ図は構成を個別に配置した状態の底面図、ｃ図は要部の断面構成を示す説明図である。図２はＬＥＤ光源の構成を示した説明図であり、ａ図は平面図、ｂ図は正面図である。
【００３１】
図１のａ図に示す通り、本実施例のＬＥＤサインパネル１０は、一側方より入射したＬＥＤ光源の光を対向する他側方へ導く導光板として機能する厚さ６ｍｍ、横３２．５ｃｍ、縦２４ｃｍの矩形状の透明な樹脂製のパネル材１１を備える。このパネル材１１の背面側には、パネル材１１の周縁部に沿ってパネル材１１の中央部の広告表示領域１７を取り囲むように矩形状の対向する２つの短辺部と１つの長辺部との３方向に幅５ｍｍのコ字状の凹溝部１２が形成されている。本実施例では広告表示領域１７の大きさはＡ４程度の大きさとしている。
【００３２】
この凹溝部１２の深さは略均一に４ｍｍであり、この凹溝部１２の内部にはｃ図に示す通り、ヒートシンク部１３の挿入部１４に並設された複数のＬＥＤ光源１６が挿入される。ＬＥＤ光源１６の個々のＬＥＤの発光向きは互いに挿入部１４のパネル材１１の中心部側に向かう方向に配置されている。また、凹溝部１２の長辺部はＬＥＤ光源１６に給電するための給電線が配されている。
【００３３】
パネル材１１の裏面から表面に至るまでの孔、切れ込み、溝等がなく、パネル材１１の表面は１つの面が現れている。表面側には孔、切れ込み、溝等が現れない構造となっているため、本パネル材１１の防水性は高く、背面側に防水処理を施すことにより、高い防水性能を有することとなる。
【００３４】
ヒートシンク部１３は熱伝導率が高いアルミニウム製の素材からなり、パネル材１１の背面の略全てを覆う当接面部１５と、この当接面部１５からパネル材１１の凹溝部１２の短辺部の各々に挿入されるように突設した挿入部１４とを備えている。尚、図１の実施例では当接面部１５と挿入部１４とは一体成形で形成されている。このように当接面部１５をパネル材１１の背面の全てを覆う大きさとすることにより、放熱効果を飛躍的に高めることができる。特に、夜間に継続して使用するに際しても充分な放熱効果を奏することができる。
【００３５】
ヒートシンク部１３の当接面部１５のパネル材１１側の表面は、ＬＥＤ光源１６の側方からの光を前面方向に反射する反射板として機能するように高い反射を行うように平滑な高輝度の面を備えている。これは、アルミニウム製のヒートシンク部の当接面部１５を研磨して平滑な高輝度の面に加工したり、当接面部１５側に鏡面状又は高輝度で反射する白色のシール材を貼着して構成される。
【００３６】
また、反射板として機能する当接面部１５が当接されるパネル材１１、特に広告表示領域１７に対応するパネル材１１の当接面部に１５が当接される表面には、反射板に入射する入射光及び反射板で反射された反射光を乱反射させるために多数の細溝１８が凹溝部１２の短辺部に平行に形成されている。尚、これら多数の細溝１８は中央部へ向かうほど細溝１８間の間隔を短くして配されることにより、両端部のＬＥＤ光源１６からの光を広告表示領域１７全体に均一に反射させるようにしている。また、図示してはいないが、必要に応じて凹溝部１２のパネル材１１の投映面には表側からＬＥＤ光源１６が直接視認されないように、広告表示領域１７の四方を取り囲むように遮蔽テープや遮蔽印刷が施されている。同様に、ＬＥＤ光源１６が直接視認されないように、凹部溝１２のパネル材１１の表側面（溝の底面）にＬＥＤの光を表側に透過させないように遮蔽層を設けてもよい。
【００３７】
ヒートシンク部１３の当接面部１５と、パネル材１１の背面部とには互いの間隙を封止する封止手段が講じられる。本実施例では、当接面部１５の周端縁部に両面テープ材１９を介在させることにより、互いの間隙を封止している。尚、この両面テープ材１９の他にも封止手段としては、封止樹脂で封止したり、水密パッキンを施したりすることで置換えることが可能である。この封止手段による当接面部と導光板の背面との間隙を封止することにより、放熱効果が高く、防水効果の高いＬＥＤサインパネルを得ることができる。
【００３８】
図２に示す通り、図１のＬＥＤ光源１６は、凹溝部１２の対向する短辺部の各々に挿入可能な基板２１上に、約１ｃｍ間隔で１８個の白色ＬＥＤ（２．５×２．５ｍｍ）２０が並設して配置されている。このＬＥＤ光源１６については、白色ＬＥＤの他にも、電球色ＬＥＤを単独又は白色と組み合わせて用いたり、赤色ＬＥＤ、緑色ＬＥＤ、青色ＬＥＤの三原色を単独又は組み合わせてＬＥＤ群に配して用いてもよい。また、光の明るさや色温度を少なくとも２段階で変更するように構成してもよい。例えば、深夜等の弱い光でも認識が容易な状況では、間引いて発光させたり、白色ＬＥＤと電球色ＬＥＤとの両者を配しておき、深夜では電球色ＬＥＤのみを発光させたりすることも可能である。
【００３９】
図３は本発明のＬＥＤサインパネルの別の実施例の構成を説明する説明図であり、ａ図は正面図、ｂ図は構成を個別に配置した状態の底面図、ｃ図は要部の断面構成を示す説明図である。図３に示したＬＥＤサインパネルは、図１のＬＥＤサインパネルのヒートシンク部１３の挿入部１４の構成が若干相違している。
【００４０】
即ち、図３のａ図に示す通り、本実施例のＬＥＤサインパネル３０は、先の実施例と同様に、一側方より入射したＬＥＤ光源の光を対向する他側方へ導く導光板として機能する厚さ６ｍｍ、横３２．５ｃｍ、縦２４ｃｍの矩形状の透明な樹脂製のパネル材３１を備える。このパネル材３１の背面側には、パネル材３１の周縁部に沿ってパネル材３１の中央部の広告表示領域３７を取り囲むように矩形状の対向する２つの短辺部と１つの長辺部との３方向に幅５ｍｍのコ字状の凹溝部３２が形成されている。
【００４１】
この凹溝部３２の深さは略均一に４ｍｍであり、この凹溝部３２の内部にはｃ図に示す通り、ヒートシンク部３３の挿入部３４に並設された複数のＬＥＤ光源３６が挿入される。パネル材３１の裏面から表面に至るまでの孔、切れ込み、溝等がなく、パネル材３１の表面は１つの面が現れているため、本パネル材３１の防水性は高く、背面側に防水処理を施すことにより、高い防水性能を有することとなる。
【００４２】
ヒートシンク部３３は熱伝導率が高いアルミニウム製の素材からなり、パネル材３１の背面の略全てを覆う当接面部３５と、この当接面部３５からパネル材３１の凹溝部３２を塞ぐように、Ｌ字状の挿入部３４が装着されている。即ち、本実施例ではヒートシンク部３３のＬ字状の挿入部３４をＬＥＤ光源３６と共に先に凹溝部３２に溝幅を塞ぐように挿入した後に、挿入部３４の挿入後端部３４ｂをヒートシンク部３３の当接面部３５に当接させるようにパネル材３１背面に装着する。これにより、より高い防水効果を得ることができると共に、組み立て工程も容易となり、凹溝部３２に合わせて挿入後端部３４ｂの装着位置を変更可能とすることができるという効果を奏する。尚、組み立ての際に、当接面部３５と挿入後端部３４ｂとの間に熱伝導を高める熱伝導シートや熱伝導グリスを介して当接させてもよい。
【００４３】
ヒートシンク部３３の当接面部３５のパネル材３１側の表面は、先の実施例と同様にＬＥＤ光源３６の側方からの光を前面方向に反射する反射板として機能するように高い反射を行うように平滑な高輝度の面を備えている。また、図示してはいないが、必要に応じて凹溝部３２のパネル材３１の投映面には表側からＬＥＤ光源３６が直接視認されないように、広告表示領域３７の四方を取り囲むように遮蔽テープや遮蔽印刷が施されている。同様に、ＬＥＤ光源３６が直接視認されないように、凹部溝３２のパネル材３１の表側面（溝の底面）にＬＥＤの光を表側に透過させないように遮蔽層を設けてもよい。
【００４４】
また、反射板として機能する当接面部３５が当接されるパネル材３１表面には、反射板に入射する入射光及び反射板で反射された反射光を乱反射させるために多数の細溝３８が凹溝部３２の短辺部に平行に形成されている。ヒートシンク部３３の当接面部３５と、パネル材３１の背面部とには互いの間隙を封止する封止手段が講じられる。本実施例でも、当接面部３５の周端縁部に両面テープ材３９を介在させることにより、互いの間隙を封止している。
図４は本発明のＬＥＤサインパネルの更に別の実施例の構成を説明する説明図であり、ａ図は正面図、ｂ図は構成を個別に配置した状態の底面図、ｃ図は要部の断面構成を示す説明図である。図４に示したＬＥＤサインパネルは、図３のＬＥＤサインパネルのヒートシンク部３３の挿入部３４の構成が若干相違して、断面がコ字状となっている。
【００４５】
即ち、図４のａ図に示す通り、本実施例のＬＥＤサインパネル４０は、先の実施例と同様に、一側方より入射したＬＥＤ光源の光を対向する他側方へ導く導光板として機能する厚さ６ｍｍ、横３２．５ｃｍ、縦２４ｃｍの矩形状の透明な樹脂製のパネル材４１を備える。このパネル材４１の背面側には、パネル材４１の周縁部に沿ってパネル材４１の中央部の広告表示領域４７を取り囲むように矩形状の対向する２つの短辺部と１つの長辺部との３方向に幅５ｍｍのコ字状の凹溝部４２が形成されている。
【００４６】
この凹溝部４２の深さは略均一に４ｍｍであり、この凹溝部４２の内部にはｃ図に示す通り、ヒートシンク部４３の挿入部４４に並設された複数のＬＥＤ光源４６が挿入される。パネル材４１の裏面から表面に至るまでの孔、切れ込み、溝等がなく、パネル材４１の表面は１つの面が現れているため、本パネル材４１の防水性は高く、背面側に防水処理を施すことにより、高い防水性能を有することとなる。
【００４７】
ヒートシンク部４３は熱伝導率が高いアルミニウム製の素材からなり、パネル材４１の背面の略全てを覆う当接面部４５と、この当接面部４５からパネル材４１の凹溝部４２を塞ぐように、Ｌ字状の挿入部４４が装着されている。即ち、本実施例ではヒートシンク部４３のコ字状の挿入部４４をＬＥＤ光源４６と共に先に凹溝部４２に挿入後端部４４ｂが溝は場を塞ぐように挿入した後に、挿入部４４の挿入後端部４４ｂをヒートシンク部４３の当接面部４５に当接させるようにパネル材４１の背面に装着する。これにより、より高い防水効果を得ることができると共に、組み立ても宵になり、凹溝部４２に合わせて挿入後端部４４ｂの装着位置を変更可能とすることができるという効果を奏する。尚、組み立ての際に、当接面部４５と挿入後端部４４ｂとの間に熱伝導を高める熱伝導シートや熱伝導グリスを介して当接させてもよい。
【００４８】
ヒートシンク部４３の当接面部４５のパネル材４１側の表面は、先の実施例と同様にＬＥＤ光源４６の側方からの光を前面方向に反射する反射板として機能するように高い反射を行うように平滑な高輝度の面を備えている。尚、挿入先端部４４ａをコ字状としているため、表面からＬＥＤ光源４６を隠すことができ、凹溝部４２のパネル材４１の投映面の広告表示領域４７の四方を取り囲むように配される遮蔽テープや遮蔽印刷は不要とすることができる。
【００４９】
また、反射板として機能する当接面部４５が当接されるパネル材４１表面には、反射板に入射する入射光及び反射板で反射された反射光を乱反射させるために多数の細溝４８が凹溝部４２の短辺部に平行に形成されている。ヒートシンク部４３の当接面部４５と、パネル材４１の背面部とには互いの間隙を封止する封止手段が講じられる。本実施例でも、当接面部４５の周端縁部に両面テープ材４９を介在させることにより、互いの間隙を封止している。
【００５０】
以上のように、本ＬＥＤサインパネルでは、６ｍｍの薄い厚さでありながら、高い防水性を有することが可能となっている。また、プラスチック素材が主流の反射板を、ヒートシンク部にその機能を持たせることにより、構成点数を減じることができ、尚且つ、ヒートシンク部（反射手段）とパネル材との間隙を封止することにより、高い防水効果を奏することができる。
【００５１】
ヒートシンク部に反射手段としての機能を持たせることにより、背面側の凹凸が少なくなり、壁やその他機器などとの装着がスムーズになる利点も奏することができる。また、ヒートシンクの熱拡散率が大幅に上がり、ＬＥＤの寿命はより長くなる利点もある。
【符号の説明】
【００５２】
１０、３０  、４０  …ＬＥＤサインパネル、
１１、３１  、４１  …パネル材（導光板）、
１２、３２  、４２  …凹溝部、
１３、３３  、４３  …ヒートシンク部、
１４、３４  、４４  …挿入部、
３４ａ、４４ａ…挿入先端部、
３４ｂ、４４ｂ…挿入後端部、
１５、３５  、４５  …当接面部（反射手段）、
１６、３６  、４６  …ＬＥＤ光源、
１７、３７  、４７  …広告表示領域、
１８、３８  、４８  …細溝、
１９、３９  、４９  …両面テープ材（粘着テープ）、
２０  …ＬＥＤ、
２１  …基板、
【図１】
2015032461.tif 000003
【図２】
2015032461.tif 000004
【図３】
2015032461.tif 000005
【図４】
2015032461.tif 000006
【図５】
2015032461.tif 000007